(57)【要約】【課題】遊技者による意匠部材の把持を防止できる遊技機を提供する。【解決手段】透光性を有し後方にある部材を視認可能な状態で保護する透過面４３０と、透過面４３０から前方に向けて延びる延出面４３１と、を有する保護パネル４０３と、意匠が施された意匠部と前記延出面４３１の前端部より透過面４３０側に突出する突出部４９０とを有し、前記延出面４３１の前方に配置される意匠部材４０２と、突出部４９０の透過面４３０側の端部から、延出面４３１に向けて延在し、延出面４３１側ほど後側に向かうように水平面に対して傾斜する傾斜面４９１を有する保護部材４０４と、を備えるので、遊技者による意匠部材４０２の把持を防止できる。【選択図】図３１
2018175466.tif 000002
【特許請求の範囲】
【請求項１】
透光性を有し後方にある部材を視認可能な状態で保護する透過面と、この透過面から前方に向けて延びる延出面と、を有する保護パネルと、
意匠が施された意匠部と前記延出面の前端部より透過面側に突出する突出部とを有し、前記延出面の前方に配置される意匠部材と、
前記突出部の透過面側の端部から、前記延出面に向けて延在し、延出面側ほど後側に向かうように水平面に対して傾斜する傾斜面を有する保護部材と、
を備えることを特徴とする遊技機。
【発明の詳細な説明】
【技術分野】
【０００１】
本発明は、遊技機に関する。
【背景技術】
【０００２】
従来、液晶表示装置や回転リール等の前方に、これらを保護するための保護パネル（表示窓）が設けられた遊技機が知られている（特許文献１）。保護パネルは、液晶表示装置等の映像や、回転リールの図柄等を透過させて表示するための透過面を有し、透過面を介して遊技者に視認可能な状態で後方の部材を保護する。
また、保護パネルの周囲には、遊技機を装飾するための意匠部材が設けられることがある。この意匠部材においては、遊技機のデザイン性を高めたり、意匠部材の存在感を高めたりするために、ある程度大きくすることが望まれることがある。
【先行技術文献】
【特許文献】
【０００３】
【特許文献１】特開２０１６−８３１６４
【発明の概要】
【発明が解決しようとする課題】
【０００４】
ところで、取付構造上の問題や、液晶表示装置や回転リール等の部材以外の部材も保護する目的から、保護パネルの透過面から前方に向けて延びる延出面を設けることが考えられる。このときに、延出面の前方に意匠部材を設け、この意匠部材の大きさをある程度大きくしようとすると、意匠部材の一部が保護パネルの透過面側に突出する場合がある。この場合、この突出した部分に、遊技者が手を引っ掛けて意匠部材に強い力をかけることが可能となり、意匠部材が壊されやすくなってしまうという問題がある。
【０００５】
本発明は、前記事情に鑑みてなされたもので、遊技者による意匠部材の把持を防止できる遊技機を提供することを目的とする。
【課題を解決するための手段】
【０００６】
前記目的を達成するために、本発明の遊技機は、透光性を有し後方にある部材を視認可能な状態で保護する透過面と、この透過面から前方に向けて延びる延出面と、を有する保護パネルと、意匠が施された意匠部と前記延出面の前端部より透過面側に突出する突出部とを有し、前記延出面の前方に配置される意匠部材と、前記突出部の透過面側の端部から、前記延出面に向けて延在し、延出面側ほど後側に向かうように水平面に対して傾斜する傾斜面を有する保護部材と、を備えることを特徴とする。
【０００７】
本発明においては、意匠部材は、保護パネルの延出面の前方に配置されており、また、透過面側に突出する突出部を備えている。このため、突出部に遊技者が手を掛けて意匠部材を把持することが可能にも思える。しかし、突出部の透過面側の端部から延出面に向けて延在し、透過面側ほど後側に向かうように水平面に対して傾斜する傾斜面を有する保護部材を備えているので、遊技者が突出部に手を掛けようとした場合に、遊技者の手はこの傾斜面を滑り、上手く手を掛けることができない。したがって、遊技者に意匠部材が把持されるのを防止することができる。
また、傾斜面は、遊技者から見たときに、透過面側に向けて、広がったような形状となるので、保護部材によって、遊技者の透過面に向かう視線を阻害することもない。
また、意匠部材を透過面側に突出させているため、意匠部材を大きくすることができ、遊技機のデザイン性を高めたり、意匠部材の存在感を高めたりすることができる。
【発明の効果】
【０００８】
本発明の遊技機によれば、遊技者による意匠部材の把持を防止できる。
【図面の簡単な説明】
【０００９】
【図１】本発明の実施の形態に係る遊技機の一例を示すもので、その斜視図である。
【図２】同、上扉を示す分解斜視図である。
【図３】同、画像表示装置を示す分解斜視図である。
【図４】同、表示装置ケースを示すもので、前側から見た斜視図である。
【図５】同、枠体を示すもので、前側から見た斜視図である。
【図６】同、保護シートを示す正面図である。
【図７】同、キャビネットベースを示すもので、後側から見た斜視図である。
【図８】同、キャビネットベースを示すもので、上側から見た要部の拡大断面斜視図である。
【図９】同、画像表示装置をキャビネットベースに取り付けた状態を示すもので、右側から見た要部の拡大断面図である。
【図１０】同、可動役物ユニットを示す分解斜視図である。
【図１１】同、役物ベースを示すもので、前側から見た斜視図である。
【図１２】同、駆動機構を示すもので、後方下側から見た斜視図である。
【図１３】同、可動部材を示す分解斜視図である。
【図１４】同、右側の可動部材の照明基板を示すもので、（ａ）は照明基板の正面図、（ｂ）は照明基板の背面図である。
【図１５】同、右側の可動部材の前ケースを示すもので、（ａ）は前ケースを前側から見た分解斜視図、（ｂ）は前ケースを後側から見た分解斜視図である。
【図１６】同、右側の可動部材の後ケースを示すもので、（ａ）は後ケースの正面図、（ｂ）は後ケースの背面図である。
【図１７】同、右側の可動部材のランナー部を示すもので、（ａ）はランナー部を前側からみた斜視図、（ｂ）はランナー部を後側から見た斜視図である。
【図１８】同、右側の可動部材を示す背面図である。
【図１９】同、右側の可動部材を示すもので、上側から見た断面図である。
【図２０】同、右側の可動部材の取付部材を示すもので、（ａ）は取付部材を前側から見た斜視図、（ｂ）は取付部材を後側から見た斜視図である。
【図２１】同、可動部材の閉状態を説明するための図である。
【図２２】同、可動部材の閉状態を説明するためのもので、可動部材を裏側からみた図である。
【図２３】同、可動部材の開状態を説明するための図である。
【図２４】同、可動部材の開状態を説明するためのもので、上側から見た要部の拡大断面斜視図である。
【図２５】同、意匠ユニットを示す分解斜視図である。
【図２６】同、意匠ユニット本体を示すもので、後側から見た斜視図である。
【図２７】同、意匠部材を示すもので、後側から見た斜視図である。
【図２８】同、保護パネルを示すもので、前側から見た斜視図である。
【図２９】同、保護部材を示すもので、（ａ）は保護部材を前側から見た斜視図、（ｂ）は保護部材を後側から見た斜視図である。
【図３０】同、固定部材を示すもので、前側から見た斜視図である。
【図３１】同、保護部材の取付状態を示すもので、右側から見た要部の拡大断面図である。
【発明を実施するための形態】
【００１０】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１１】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１２】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１３】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶パネルを有する画像表示装置１００（ディスプレイ。図２参照。）の表示面１１２を見るために設けられたものであり、この画像表示装置１００では、その表示面１１２に遊技機における演出用の画像が表示されるようになっている。なお、画像表示装置１００は、演出用の画像を表示できるものであれば、液晶ディスプレイ以外のディスプレイであってもよい。
また、上扉３０の表示窓３１と表示窓３２との間には、意匠が施された意匠部６０が設けられている。また、上扉３０の表示窓３２の上部および左右両側部には、報知や演出などを行うためのランプ３３ａ,３３ｂが設けられている。
【００１４】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１５】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００１６】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００１７】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００１８】
図２に示すように、上扉３０は、キャビネットベース８０（ベース部材）と、このキャビネットベース８０の背面側に固定される画像表示装置１００と、画像表示装置１００の前面側に配置される保護シート７０と、キャビネットベース８０の背面側を縁取るように該背面側に固定される枠状のバリアユニット７５と、キャビネットベース８０の前面側に固定される可動役物ユニット１５０と、この可動役物ユニット１５０を前側から覆うようにしてキャビネットベース８０の前面側に固定される意匠ユニット４００と、を備えている。
【００１９】
バリアユニット７５は、金属製の枠体であり、筐体１（交換ユニット）と上扉３０とを連結する前記ヒンジは、このバリアユニット７５に固定されている。そして、バリアユニット７５によって、キャビネットベース８０が補強されているととともに、上扉３０の重み等により筐体１と上扉３０との連結部が壊れないようにされている。
【００２０】
画像表示装置１００は、図３に示すように、表示装置本体１０１と、表示装置ケース１０２と、枠体１０３と、を備えている。
表示装置本体１０１は、略長方形板状となっており、略長方形板状の液晶パネル１１０と、この液晶パネル１１０を支持する略長方法形枠状のベゼル部１１１と、を備えている。
【００２１】
液晶パネル１１０は、正面視略長方形の表示面１１２を備えている。そして、表示装置本体１０１は、図示しない副制御基板から送られる制御信号を受けて、演出用の画像を表示面１１２に表示する。なお、副制御基板とは、表示や音声や照明による演出を制御する基板をいう。また、画像表示装置１００と副制御基板とは、一体的に設けられていてもよい。
【００２２】
ベゼル部１１１は、正面視において、表示面１１２の周りを囲った状態となっており、液晶パネル１１０と一体化されている。また、ベゼル部１１１の前面１１３は、表示面１１２よりも前方に位置している。また、ベゼル部１１１には、左右の側面それぞれに、２つのネジ孔１１６が上下に離間して設けられている。
【００２３】
表示装置ケース１０２は、図４に示すように、略長方形板状の背面板１２０と、上側壁部１２１と、下側壁部１２２と、左側壁部１２３と、右側壁部１２４と、を備えている。また、上側壁部１２１、下側壁部１２２、左側壁部１２３および右側壁部１２４は、背面板１２０の上下左右の各辺部から背面板１２０に対して直角に前方に向けて延びる板状の部材であって、透光性を有さない黒色の合成樹脂により背面板１２０と一体的に成形されている。また、上側壁部１２１と下側壁部１２２と左側壁部１２３と右側壁部１２４とは、それぞれの前端面が面一になっているとともに、隣接する壁部どうしが隙間なく並べられており、これらによって正面視略矩形環状の環状壁１２５が形成されている。そして、表示装置ケース１０２は、背面板１２０と環状壁１２５とにより、正面側が開口した薄型の略長方形箱状となっており、表示装置ケース１０２の内側に表示装置本体１０１と枠体１０３とが収容されるようになっている。
【００２４】
上側壁部１２１には、外側（上側）に突出する２つの凸部が左右に離間して設けられており、それぞれの凸部の内側に凹所１２１ａ，１２１ａが形成されている。また、下側壁部１２２にも、外側（下側）に突出する２つの凸部が、左右に離間して設けられており、それぞれの凸部の内側に凹所１２２ａ，１２２ａが形成されている。また、これら４つの各凹所１２１ａ，１２２ａには、背面板１２０から前方に向けて突出するボス１２８が設けられている。
また、左側壁部１２３および右側壁部１２４それぞれには、２つのネジ挿通孔１２３ａ，１２４ａが上下に離間して設けられている。
【００２５】
また、上側壁部１２１には、外側（上側）に突出するようにして、ネジ挿通孔１２６ａを有する２つの表示装置取付部１２６が、左右に離間して設けられている。また、この２つの表示装置取付部１２６それぞれには、ネジ挿通孔１２６ａに隣接して孔１２６ｂが設けられている。
また、下側壁部１２２にも、外側（下側）に突出するようにして、ネジ挿通孔１２７ａを有する２つの表示装置取付部１２７が、左右に離間して設けられている。
【００２６】
枠体１０３は、図５に示すように、中心部が画像表示装置１００の表示面１１２とほぼ同じ大きさに開口した長方形板状の枠本体１３０を備えている。また、枠本体１３０を構成する上下左右の各板状部１３０ａ，１３０ｂ，１３０ｃ，１３０ｄの幅は、ベゼル部１１１の前面１１３を構成する各面１１３ａ，１１３ｂ，１１３ｃ，１１３ｄ（図３参照）の幅よりも広くなっている。
また、枠本体１３０の上側の板状部１３０ａは、一部が上側に向けて突出しており、これにより２つの凸部１３０ｅが左右に離間して形成されている。また、枠本体１３０の下側の板状部１３０ｂも、一部が下側に向けて突出しており、これにより２つの凸部１３０ｆが左右に離間して形成されている。また、これら４つの各凸部１３０ｅ，１３０ｆには、ネジ挿通孔１３０ｇが設けられている。
【００２７】
また、枠本体１３０には、枠本体１３０の外周を囲うようにして、前方に突出する突条部１３１が設けられている。また、突条部１３１は、枠本体１３０の略全周にわたり設けられているが、凸部１３０ｅの上端縁および凸部１３０ｆの下端縁には設けられていない。また、枠本体１３０と突条部１３１とは、透光性を有さない黒色の合成樹脂により一体的に成形されている。
【００２８】
保護シート７０は、図６に示すように、略長方形板状（薄膜状）の保護シート本体７１と、４つの保護シート取付部７２とを備えている。また、保護シート取付部７２は、保護シート本体７１の上縁と下縁とに、それぞれ２つずつ、該上縁または下縁から外側に突出するようにして設けられている。また、保護シート取付部７２には、ネジ挿通孔７２ａが設けられている。
保護シート本体７１と、４つの保護シート取付部７２とは、合成樹脂（例えば、ポリカーボネート）により一体的に成形されており、保護シート取付部７２を含めた全体が厚さ約１ｍｍの略長方形板状（薄膜状）となっている。このため、保護シート取付部７２は可撓性を有し、外力によってたわむようになっている。また、保護シート７０は、透明で透光性を有する。
なお、図６は保護シート７０を示す正面図であるが、背面図も同様にあらわれる。
【００２９】
表示装置本体１０１と、表示装置ケース１０２と、枠体１０３と、保護シート７０と、はネジ止めにより一体化されている。
具体的には、表示装置本体１０１は、その背面を表示装置ケース１０２の背面板１２０の前面に当接させた状態で、表示装置ケース１０２の左側壁部１２３または右側壁部１２４に設けられた４つのネジ挿通孔１２３ａ，１２４ａそれぞれに挿通されたネジが、表示装置本体１０１の側面に設けられた４つのネジ孔１１６にねじ込まれることで、表示装置ケース１０２に固定されている。
また、表示装置ケース１０２と表示装置本体１０１と枠体１０３と保護シート７０とは、後方から、表示装置ケース１０２、表示装置本体１０１、枠体１０３、保護シート７０の順に並べられた状態で、保護シート７０のネジ挿通孔７２ａおよび枠体１０３のネジ挿通孔１３０ｇに挿通されたネジが、表示装置ケース１０２のボス１２８に設けられたネジ孔にねじ込まれることで、互いに固定されている（図９参照）。ここで、枠体１０３の凸部１３０ｅ，１３０ｆおよび保護シート７０の保護シート取付部７２は、表示装置ケース１０２の凹所１２１ａ，１２２ａに挿入された状態となっている。
【００３０】
また、枠本体１３０の背面は、ベゼル部１１１の前面１１３に当接している。そして、ベゼル部１１１は、枠本体１３０に前面１１３が覆い隠され、正面視において、ベゼル部１１１が見えないようにされている。一方、表示装置本体１０１の表示面１１２の前方には、枠本体１３０の開口部１３０ｈが配置されており、この開口部１３０ｈから表示面１１２が見えるようになっている。また、枠本体１３０の前面１３２（図５参照）は、表示面１１２よりも前方に位置しており、表示面１１２よりも前方に向けて突出した突出面となっている。
また、枠本体１３０の前面１３２は、保護シート７０の背面に当接している。そして、表示面１１２と、保護シート７０との間には所定の間隔が形成されている。
【００３１】
また、表示装置本体１０１（ベゼル部１１１）の外側面および枠体１０３（突条部１３１）の外側面は、表示装置ケース１０２の内側面と近接または当接した状態となっている。また、保護シート７０の側端面と、枠体１０３の突条部１３１の内側面とは、近接または当接した状態となっている。
すなわち、表示装置本体１０１と表示装置ケース１０２と枠体１０３と保護シート７０とは、表示装置本体１０１と枠体１０３とが、表示装置ケース１０２の内側に収容され、保護シート７０が枠体１０３の突条部１３１に囲われた領域に収容された状態で、一体化されている。
ここで、枠体１０３の突条部１３１の前端面および表示装置ケース１０２の環状壁１２５の前端面は、保護シート７０よりも前方に突出している。すなわち、突条部１３１および環状壁１２５は、両方とも保護シート７０を囲う環状壁となっている。また、突条部１３１の前端面と環状壁１２５の前端面とは、略面一となっているか、または、環状壁１２５の前端面が突条部１３１の前端面よりもわずかに前方に突出している。
【００３２】
キャビネットベース８０は、図７に示すように、正面視において略長方形の枠体であり透過性を有さない黒色の合成樹脂により一体的に成形されている。また、キャビネットベース８０の上部中央には、画像表示装置１００の表示面１１２を露出させるための長方形の開口部８１が設けられている。なお、キャビネットベース８０の下部中央には、前記回転リールを露出させるための長方形の開口部が設けられており、この開口部には、表示窓３１が設けられている。
【００３３】
また、キャビネットベース８０の背面８０ｂであって開口部８１の周縁には、開口部８１の周縁全体を囲うようにして、後方へ突出する突条部８２が設けられている。つまり、突条部８２は、開口部８１の上下左右の縁それぞれに沿って設けられた４つの突条部８２ａ，８２ｂ，８２ｃ，８２ｄによって構成されており、背面視において、略矩形環状となっている。
【００３４】
突条部８２の断面形状を図８に示す。なお、図８は、右側の突条部８２ｄを上側から見た要部の拡大断面斜視図であり、図８において、左側に開口部８１があり、奥側に下側の突条部８２ｂがある（図７参照）。
突条部８２には、後端部の開口部８１側を該開口部８１に沿って切り欠いた形状の切欠部８３が形成されている。言い換えると、突条部８２の内側には、突条部８２の突出方向に対して略垂直な平面部８４が設けられており、この平面部８４は、キャビネットベース８０の背面８０ｂ（開口部８１）からの高さが、突条部８２の最頂部（後端部）よりも低くなっている。すなわち、突条部８２は、開口部８１側の高さが最頂部（後端部）に比べ低くなっており、これにより、突条部８２の長手方向に沿って段差部８３（切欠部）が形成されている。
【００３５】
また、上下左右の突条部８２ａ，８２ｂ，８２ｃ，８２ｄの平面部８４は互いに面一となっており、後方視において略矩形環状の平面が形成されている。また、突条部８２ａ，８２ｂ，８２ｃ，８２ｄの最頂部は互いに面一となっている。
また、突条部８２の後端部の開口部８１と離れた側は、該後端部の頂部からキャビネットベース背面８０ｂに向かう滑らかな曲面８９になっている。
【００３６】
キャビネットベース背面８０ｂは、図７に示すように、開口部８１の略上半分の周囲が前方に向けて凹んでおり、これにより、画像表示装置１００が挿入される表示装置挿入部８５が形成されている。また、表示装置挿入部８５の上側には、後方に突出する２つのボス８６が左右に離間して設けられている。また、開口部８１の下側にも、後方に突出する２つのボス８７が左右に離間して設けられている。また、上側の２つのボス８６それぞれに隣接して、後方に突出する突起部８８が設けられている。
【００３７】
画像表示装置１００は、その上部の前端部が表示装置挿入部８５に挿入されるとともに、表示装置取付部１２６の孔１２６ｂに突起部８８が挿入されることで、キャビネットベース８０に対して位置決めがなされている。また、画像表示装置１００は、表示装置取付部１２６のネジ挿通孔１２６ａに挿通されたネジが、キャビネットベース８０のボス８６に設けられたネジ孔にねじ込まれるとともに、表示装置取付部１２７のネジ挿通孔１２７ａに挿通されたネジが、キャビネットベース８０のボス８７に設けられたネジ孔にねじ込まれることで、キャビネットベース８０に固定されている。
【００３８】
図９に、画像表示装置１００をキャビネットベース８０に取り付けた状態を示す。図９は、キャビネットベース８０の上側の突条部８２ａ付近を右側から見た拡大断面図である。
キャビネットベース８０の突条部８２の後端部は、図９に示すように、画像表示装置１００に取り付けられた保護シート７０の前面に当接している。すなわち、保護シート７０は背面が画像表示装置１００の枠体１０３に押さえられるとともに、前面がキャビネットベース８０の突条部８２に押さえられることで、これらによって、挟持されている。ここで、前述のように上下左右の突条部８２ａ，８２ｂ，８２ｃ，８２ｄの最頂部は面一となっているため、これらの最頂部全体が保護シート７０に当接している。したがって、突条部８２と保護シート７０との当接部は略矩形環状をなしており、突条部８２は、保護シート７０の、表示面１１２を透過させて表示させる部分を略矩形環状に囲うようにして、保護シート７０を前面側から押さえつけている。
また、突条部８２の外側面は、枠体１０３の突条部１３１および表示装置ケース１０２の環状壁１２５に覆われた状態となっている。
また、枠体１０３の突条部１３１および表示装置ケース１０２の環状壁１２５の前端部は、キャビネットベース８０に近接しているが当接はしていない。すなわち、突条部１３１および環状壁１２５の保護シート７０からの高さよりも、突条部８２のキャビネットベース背面８０ｂからの高さの方が高くなっている。したがって、突条部８２によって、保護シート７０を前面側からしっかりと押さえることができる。なお、突条部８２によって保護シート７０を押さえることができれば、枠体１０３の突条部１３１または表示装置ケース１０２の環状壁１２５の前端部が、キャビネットベース８０に当接していてもよい。
【００３９】
このように、本実施の形態によれば、可撓性を有する保護シート７０は、画像表示装置１００の枠体１０３の前面１３２とキャビネットベース８０の突条部８２とによって挟持されているので、保護シート７０が表示面１１２側や開口部８１側にたわむのを抑制することができる。また、前方への保護シート７０のたわみを、画像表示装置１００が取り付けられるキャビネットベース８０の開口部８１の縁に形成された突条部８２によって抑制しているため、キャビネットベース８０と保護シート７０との間に余計な部材を挟む必要が無く、製造コストを削減することができるとともに、遊技機全体の奥行方向の厚みを薄くすることができる。
また、キャビネットベース８０から突出する突条部８２が保護シート７０に当接していることにより、キャビネットベース８０の後側に配置される部材が遊技者の視界に入るのを防止することができる。
【００４０】
また、枠体１０３の前面１３２は、表示面１１２よりも前方に向けて突出した突出面となっているので、前面１３２に当接している保護シート７０は、表示面１１２から浮いた状態となっている。したがって、保護シート７０が表示面１１２に当たりニュートンリングが発生したりするのを防ぐことができる。
【００４１】
また、キャビネットベース８０の突条部８２と保護シート７０とは当接しているため、スロットマシンＭが揺れた際等にこれらがこすれて、突条部８２または保護シート７０が削れるおそれがある。しかし、突条部８２は、後端部の開口部８１側に、該開口部８１に沿って形成された切欠部８３を備えているので、突条部８２または保護シート７０が削れることで発生した削りくずを切欠部８３にためることができる。したがって、この削りくずが表示面１１２側に現れてしまうのを防ぐことができる。
【００４２】
また、画像表示装置１００は、前端面が保護シート７０よりも前方に突出する環状壁１２５を備えている。したがって、画像表示装置１００の側方から画像表示装置１００に向かってくる光、例えば回転リールを照明する照明装置やランプ３３ａ,３３ｂ等からの光を環状壁１２５によって遮ることができ、表示面１１２や保護シート７０に画像表示装置１００の外からの光が映り込むのを防ぐことができる。また、枠体１０３の突条部１３１によっても同様の作用効果を奏することができる。
【００４３】
また、突条部８２の外側面は、環状壁１２５に覆われた状態となっているので、画像表示装置１００の外からの光が表示面１１２側に入り込むためには、突条部８２と環状壁１２５との間の入り組んだ隙間を通らなければならない。したがって、表示面１１２や保護シート７０に画像表示装置１００の外からの光が映り込むのをより確実に防ぐことができる。
なお、環状壁１２５および突条部１３１があることにより、表示面１１２からの光が画像表示装置１００の外に漏れるのを防ぐこともできる。
【００４４】
次に、図１０に示すように、可動役物ユニット１５０は、役物ベース１５１（ベース部材）と、２つの可動部材１５２（左側可動部材１５２Ａおよび右側可動部材１５２Ｂ）と、この２つの可動部材１５２Ａ，１５２Ｂを左右に移動させる駆動機構１５３と、左右に長尺な板状のレールカバー１６０と、を備えている。
【００４５】
役物ベース１５１は、図１１に示すように、略長方形枠状に形成されており、中央に開口部１５５が設けられている。また、役物ベース１５１は、キャビネットベース８０の開口部８１を囲うようにして、キャビネットベース８０の前面側にネジ止めにより固定されている。
【００４６】
役物ベース１５１の上辺部には、可動部材１５２に電源や制御信号を供給するためのケーブル１５４ａ（図１０参照）を収納する収納部１５６が設けられている。収納部１５６は、断面コ字状に形成されており、役物ベース１５１の上辺部に沿って、前側が開口した溝状に形成されている。また、収納部１５６には、内側にケーブル１５４ａが収納された状態で、前側の開口部を覆うようにして２つのカバー部材１５４ｂ，１５４ｂが設けられている（図１１参照）。ここで、収納部１５６の開口部の下端部は、カバー部材１５４ｂに覆われておらず、所定の隙間が設けられており、この隙間から後述する可動部材１５２のケーブル挟持部２２８を収納部１５６の内側に引き入れることができるようになっている。
なお、ケーブル１５４ａは、具体的にはＦＦＣケーブル（フレキシブルフラットケーブル）であり左右の可動部材１５２Ａ，１５２Ｂに対して一束ずつ設けられている。そして、各ケーブル１５４ａは、一方の端部が後述する可動部材１５２の照明基板２００に繋がれており、他方の端部がこの照明基板に電源や制御信号を供給する基板に繋がれている。
【００４７】
また、役物ベース１５１の下辺部には、前方に突出する突条部１５７が、開口部１５５の縁に沿って設けられている。また、突条部１５７は、頂部が丸みを帯びた形状となっている。また、役物ベース１５１下辺部の上下方向中央の左右両端部には、前方に突出するボス１５８が設けられている。また、役物ベース１５１下辺部の下端部には、前方に突出するボス１５９が、左右に離間して３つ設けられている。
また、役物ベース１５１の下辺部には、レールカバー１６０が取り付けられている。レールカバー１６０には、役物ベース１５１のボス１５８，１５９に対向する位置に、ネジ挿通孔が設けられており、このネジ挿通孔に挿通されたネジが、ボス１５８，１５９それぞれに設けられたネジ孔にねじ込まれることで、レールカバー１６０が役物ベース１５１に固定されている。また、レールカバー１６０は、背面側の、突条部１５７に対向する位置に、左右に延びる突条部が設けられている。また、この突条部は、頂部が丸みを帯びた形状となっている。また、レールカバー１６０の突条部と突条部１５７の間に後述するローラ２７２が配置されている。
【００４８】
駆動機構１５３は、図１２に示すように、左右に長尺な部材であり、２つのモータ１８０，１８０と、２つのベルト１８１，１８１と、シャフト１８２と、モータ１８０の力をベルト１８１に伝達する伝達部材と、を備えている。
【００４９】
シャフト１８２は、丸棒状であり、軸を左右方向に向けた状態で、駆動機構１５３の後部上方に配置されている。
また、２つのモータ１８０，１８０は、駆動機構１５３の左右両端部に１つずつ配置されている。また、モータ１８０には、モータを制御する基板からの配線が接続されるコネクタ１８０ａが設けられている。そして、モータ１８０は、該基板によって回転が制御されている。
なお、モータ１８０には、必要に応じて適宜適切なモータを選択すればよく、例えばステッピングモータを用いてもよい。
【００５０】
また、ベルト１８１は、環状に形成されており、前記伝達部材を介して伝わるモータ１８０の力により周回するようになっている。また２つのベルト１８１，１８１は、上下に離間して配置されており、下側のベルト１８１は、左側のモータの回転により周回するようになっており、上側のベルト１８１は、右側のモータの回転により周回するようになっている。
【００５１】
駆動機構１５３は、役物ベース１５１の前面上部にネジ止めにより固定されている。また、駆動機構１５３およびシャフト１８２の左右方向の長さは、役物ベース１５１の左右方向の長さと略一致しており、駆動機構１５３およびシャフト１８２は、役物ベース１５１の左右方向略全幅にわたり設けられている（図１０参照）。
【００５２】
可動部材１５２Ａ，１５２Ｂは、図１３に示すように、照明基板２００（電子基板）と、この照明基板２００の前面側に配置される前ケース２０１と、照明基板２００の背面側に配置される後ケース２０２と、可動部材１５２Ａ，１５２Ｂを駆動機構１５３に取り付けるための取付部２０３と、ランナー部２０４と、を備えている。
また、２つの可動部材１５２Ａ，１５２Ｂは、互いに当接する閉状態と、互いに離れた開状態と、に移動可能になっている。
なお、左側の可動部材１５２Ａと右側の可動部材１５２Ｂとは、ほぼ同様の構成となっており、その形状はほぼ左右対称となっている。したがって、以下ではまず、右側の可動部材１５２Ｂについて説明し、左側の可動部材１５２Ａについては、その説明を省略ないし簡略化する。
【００５３】
照明基板２００は、図１４に示すように、上下に長尺な板状の基板本体２１０を備えている。また、基板本体２１０の前面２１０ａには、ＬＥＤ２１１（照明部材）が複数設けられている。また、基板本体２１０の前面２１０ａおよび背面２１０ｂには、ＬＥＤ２１１以外にも図示しない複数の電子部品（例えば、抵抗、コンデンサ、集積回路等）が設けられている。そして、ＬＥＤ２１１を含むこれらの電子部品は、基板本体２１０の表面（前面２１０ａおよび背面２１０ｂ）に形成された配線パターンにより繋がれている。また、背面２１０ｂの上端部には、ケーブル１５４ａが接続されるコネクタ２１３が設けられている。
【００５４】
基板本体２１０は、略長方形の板の一方の側部を切り欠いたような形状をしている。具体的には、基板本体２１０には、左側の側端面２１４（もう一方の可動部材１５２を向く端面）側を円弧状に切り欠いた円弧状切欠部２１５が上下に並べて３つ設けられている。また、右側の側端面２１６（もう一方の可動部材１５２と離れた側の端面）は、上下に真っ直ぐな面となっている。
【００５５】
また、基板本体２１０には、上下に離間して、ボスを挿通させるためのボス挿通孔２１７が２つ設けられている。また、基板本体２１０の上部には、ボス挿通孔２１７よりも小径の孔２１８が設けられている。また、基板本体２１０の下端縁には、切欠部２１９が設けられている。
【００５６】
図１５に示すように、前ケース２０１はその上端部に、可動部材１５２を吊り下げるようにして支持する支持部２２５を備えている。また、支持部２２５の下端部には、意匠が施された意匠部２２６が一体的に設けられている。
【００５７】
支持部２２５の上端部は、後方に向けて延びる平板上の板状部２２５ａとなっている。また、支持部２２５には、上端部に平板上の板状部２２７ａを有する挟持部材２２７がネジ止めにより取り付けられている。そして、板状部２２５ａ，２２７ａによって、ケーブル１５４ａの照明基板２００側の端部が挟み付けられている。すなわち、板状部２２５ａと板状部２２７ａとによって、ケーブル１５４ａを挟持するケーブル挟持部２２８が構成されており、このケーブル挟持部２２８によってケーブル１５４ａが挟持されることで、可動部材１５２がケーブル１５４ａに対して固定されている。なお、ケーブル１５４ａは、端縁がこのケーブル挟持部２２８から下側に向けて延出されており、該端縁が照明基板２００のコネクタ２１３に接続されている。
また、支持部２２５の下端部には、ネジを挿通するためのネジ挿通孔２２９が左右に離間して２つ設けられている。
【００５８】
意匠部２２６は透光性を有する透明な合成樹脂により形成されており、ＬＥＤ２１１からの光によって光るレンズ部材となっている。また、意匠部２２６の表面の一部には、蒸着により金属の薄膜が形成されている。
意匠部２２６は、前板２３０と、前板２３０の左側の縁部（もう一方の可動部材１５２側の縁部）から後方に向けて延びる内側板２３１と、前板２３０の右側の縁部（もう一方の可動部材１５２と離れた側の縁部）から後方に向けて延びる外側板２３２と、前板２３０の下側の縁部から後方に向けて延びる下板２３３と、を備えている。
【００５９】
内側板２３１には、意匠部内側に向けて半円状に凹んだ凹部２３５が上下に離間して３つ形成されている。また、内側板２３１の、各凹部２３５に隣接する面は、閉状態において、もう一方の可動部材１５２と近接する対向面２３６となっている。つまり、内側板２３１は、４つの対向面２３６を有している。また、対向面２３６は、上下方向に凹凸する凹凸面となっている。
また、右側可動部材１５２Ｂの意匠部２２６は、対向面２３６よりも前方に、対向面２３６よりも左側可動部材１５２Ａ側に突出する覆部２４５を備えている。なお、覆部２４５も意匠部２２６のデザインの一部となっている。
【００６０】
また、内側板２３１は、一番上の対向面２３６部分を除き、後端面２３１ａが面一となっている。また、内側板２３１の一番上の対向面２３６部分は、後端面２３１ｂが、他の部分の後端面２３１ａよりも前側に向けて凹んでいる。
【００６１】
前板２３０には、後方に突出する複数の突出部２３９が、内側板２３１または外側板２３２に隣接して設けられている。また、これら複数の突出部２３９の後端面と、外側板２３２の後端面２３２ａとは、面一となっており、照明基板２００の前面２１０ａと当接する当接面となっている。また、内側板２３１の後端面２３１ａは、これらの当接面よりも後方に突出している。
また、前板２３０には、後方に突出するボス２４０，２４０が上下に離間して２つ設けられている。また、前板２３０と、支持部２２５との境部分にも、後方に突出するボス２４１が設けられている。また、前板２３０の上部および下端部には、後方に突出する突起部２４２，２４２が設けられている。
【００６２】
後ケース２０２は、図１６に示すように、上下に長尺な板状となっており、透光性を有さない白色の合成樹脂により、一体的に成形されている。また、後ケース２０２の左右方向の幅は、照明基板２００の左右方向の幅よりも短くなっている。
後ケース２０２は、上下に長尺な板状の後ケース本体２５０と、この後ケース本体２５０の左側の縁部（もう一方の可動部材１５２側の縁部）から前方に向けて延びる内側板２５１と、後ケース本体２５０の右側の縁部（もう一方の可動部材１５２と離れた側の縁部）から右斜め前方に向けて延びる外側板２５２と、後ケース本体２５０の下縁部から前方に向けて延びる下板２５３と、を備えている。
【００６３】
内側板２５１は、照明基板２００の左側の側端面２１４に沿う形状となっている。言い換えると、内側板２５１の外面は、照明基板２００の側端面２１４と面一となっている。すなわち、内側板２５１には、後ケース内側に向けて半円状に凹んだ凹部２５８が上下に離間して３つ形成されている。また、外側板２５２は、前側ほど右側に向かうように（もう一方の可動部材１５２から離れるように）、後ケース本体２５０および照明基板２００に対して傾斜している。言い換えると、後ケース２０２は、後ケース２０２の背面２０２ｂの右端部側が、右端部側ほど前側に向かうように、可動部材１５２の移動方向に対して傾斜している。
【００６４】
また、後ケース２０２には、その上端部および上下方向中心よりもやや上側部分に、ネジを挿通するためのネジ挿通孔２５６，２５７が設けられている。また、後ケース２０２には、ネジ挿通孔２５７を囲うようにして、前方に突出する円筒状の突出部２５５が設けられている。
また、内側板２５１の前端面２５１ａと、外側板２５２の前端面２５２ａと、下板２５３の前端面２５３ａと、突出部２５５の前端面２５５ａとは、面一となっており、照明基板２００の背面２１０ｂと当接する当接面となっている。
また、後ケース２０２の背面側下端部には、切欠部２５９が形成されている。
【００６５】
ランナー部２０４は、図１７に示すように、板面を上下方向に向けて配置された平板状のランナーベース２６０と、このランナーベース２６０の上面後端部から上方に向けて延びる背板２６１と、この背板２６１の右側の縁部から右斜め前方に向けて延びる外側板２６２と、この外側板２６２と繋がり背板２６１の前面側を囲う壁部２６３と、円筒状のローラ２７２と、を備えている。また、ランナー部２０４は、ローラ２７２を除き合成樹脂により一体的に成形されている。
【００６６】
壁部２６３の、左側の外面２６３ａは、照明基板２００の側端面２１４に沿う形状となっており、側端面２１４と面一となっている。また、外側板２６２は、前側ほど右側に向かうように（もう一方の可動部材１５２から離れるように）、背板２６１および照明基板２００に対して傾斜している。言い換えると、ランナー部２０４は、ランナー部２０４の背面２０４ｂの右端部側が、右端部側ほど前側に向かうように、可動部材１５２の移動方向に対して傾斜している。
【００６７】
また、背板２６１の中央部には、ネジを挿通するためのネジ挿通孔２６４が設けられている。また、背板２６１の下端部の端には、ネジ挿通孔よりも小径の孔２６５が設けられている。また、背板２６１には、ネジ挿通孔２６４を囲うようにして、前方に突出する円柱状の突出部２６６が設けられている。
外側板２６２の前端面２６２ａと突出部２６６の前端面２６６ａとは、面一となっており、照明基板２００の背面２１０ｂと当接する当接面となっている。
また、背板２６１の上端部背面側には、上方に突出する突出板２７５が設けられている。
【００６８】
ランナーベース２６０の、左側の端面２６８は、背板２６１よりも外側に突出している。また、ランナーベース２６０の、右側の端面２６９も、背板２６１よりも外側に突出している。また、ランナーベース２６０の左右の端部には、頂部が円弧状の下方に突出する突出部２７０，２７１が設けられている。そして、左右の各端面２６８，２６９と、左右の各突出部２７０，２７１の外側面とは、滑らかに連続した１つの面を形成している。
【００６９】
ランナーベース２６０の下面前方中央部には、下方に突出する円柱状突出部２７４が設けられている。また、円柱状突出部２７４の先端部には、ネジ孔が設けられている。円柱状突出部２７４の外径はローラ２７２の内径よりも僅かに小さくなっており、この円柱状突出部２７４に、ローラ２７２が外挿されている。そして、ローラ２７２は、円柱状突出部２７４を軸として回転自在な状態となっている。また、円柱状突出部２７４のネジ孔には、頭部の外径がローラ２７２の内径よりも大きいネジ２７３がねじ込まれており、このネジ２７３によって、ローラ２７２が円柱状突出部２７４から外れないようにされている。
【００７０】
照明基板２００は、図１８および図１９に示すように、前ケース２０１と後ケース２０２およびランナー部２０４とに挟まれた状態で、これらに支持されている。なお、図１９は、可動部材１５２Ｂを上側から見た断面図である。
照明基板２００は、前ケース２０１のボス２４０がボス挿通孔２１７に挿入されるとともに、突起部２４２，２４２が孔２１８または切欠部２１９に挿入された状態となっており、これらによって、照明基板２００の上下左右方向への動きが規制されている。
また、照明基板２００の前面２１０ａは、突出部２３９の後端面および外側板２３２の後端面２３２ａと当接しており、照明基板２００の前面２１０ａ方向への動きが規制されている。また、照明基板２００の背面２１０ｂは、後ケース２０２の内側板２５１の前端面２５１ａ、外側板２５２の前端面２５２ａ、下板２５３の前端面２５３ａおよび突出部２５５の前端面２５５ａと当接しているとともに、ランナー部２０４の外側板２６２の前端面２６２ａおよび突出部２６６の前端面２６６ａと当接している。そして、これらによって、照明基板２００の背面２１０ｂ方向への動きが規制されている。また、後ケース２０２は、ネジ挿通孔２５６，２５７に挿通されたネジ２８０が、前ケース２０１の上側の２つのボス２４０，２４１にねじ込まれることで、照明基板２００を間に挟んだ状態で前ケース２０１に固定されている。また、ランナー部２０４は、孔２６５に前ケース２０１の突起部２４２が挿入されるとともに、ネジ挿通孔２６４に挿通されたネジ２８１が前ケース２０１の下側のボス２４０にねじ込まれることで、照明基板２００を間に挟んだ状態で前ケース２０１に固定されている。また、ランナー部２０４の突出板２７５は、後ケース２０２の切欠部２５９に挿入された状態となっている。以上のようにして、照明基板２００は、前ケース２０１と後ケース２０２およびランナー部２０４とに挟持されている。
【００７１】
図１９に示すように、照明基板２００の右側の側端面２１６は、前ケース２０１の外側板２３２の外側の面と面一となっている。そして、照明基板２００の前面２１０ａ，左側の側端面２１４および下側の端面は、前ケース２０１に覆われた状態となっており、右側の側端面２１６は、前ケース２０１に覆われていない状態となっている。また、照明基板２００の背面２１０ｂは、後ケース２０２およびランナー部２０４の背板２６１に覆われた状態となっている。また、照明基板２００の背面２１０ｂの右端部は、上下方向全域が後ケース２０２および背板２６１に覆われておらず、可動部材１５２の外側に露出した露出域２８４となっている。
このように、ランナー部２０４の背板２６１は、後ケース２０２とともに照明基板２００の背面２１０ｂを覆っており、背板２６１は、後ケース２０２の一部を構成しているともいえる。すなわち、照明基板２００は、右側の側端面２１６と背面２１０ｂの右端部以外の部分が、前ケース２０１または後ケース２０２に覆われていると言い換えることもできる。
なお、前ケース２０１は、照明基板２００の前面２１０ａを覆うものであるが、前面２１０ａ全体を覆うものでなくてもよく、前面２１０ａの一部を覆うものであってもよい。同様に、後ケース２０２は、照明基板２００の背面２１０ｂの露出域２８４以外の部分を覆うものであるが、背面２１０ｂの露出域２８４以外の部分全体を覆うものでなくてもよく、背面２１０ｂの露出域２８４以外の部分の一部を覆うものであってもよい。
【００７２】
照明基板２００に備えられたＬＥＤ２１１を含む電子部品および照明基板２００の配線パターンは、前ケース２０１、後ケース２０２またはランナー部２０４に覆われた部分に配置されており、前ケース２０１、後ケース２０２またはランナー部２０４と当接する部分および露出域２８４には配置されていない。
【００７３】
また、前ケース２０１の内側板２３１の後端面２３１ａと、後ケース２０２の後ケース本体２５０の背面２５０ｂと、ランナー部２０４の背板２６１の背面２６１ｂとは面一となっている。
また、後ケース２０２の内側板２５１は、前ケース２０１の内側板２３１よりも左右方向内側に配置されているとともに、後ケース２０２の外側板２６２は、前ケース２０１の外側板２３２よりも左右方向内側に配置されている。すなわち、後ケース２０２の内側板２５１と前ケース２０１の内側板２３１とは、左右方向において互いにずれた位置に配置されている。また、後ケース２０２の外側板２６２と前ケース２０１の外側板２３２とも、左右方向において互いにずれた位置に配置されている。
【００７４】
また、ランナー部２０４の左側の端面２６８は、支持部２２５および対向面２３６よりも左側に突出している。そして、この端面２６８は、閉状態においてもう一方の可動部材１５２と当接する当接面２６８となっている。
また、ランナー部２０４の前方には、照明基板２００および前ケース２０１が配置されており、背板２６１が隠されているので、ランナー部２０４は、前方視においてランナーベース２６０の前側の端面以外の部分がほとんど見えないようになっている。
【００７５】
前ケース２０１の支持部２２５には、取付部２０３が取り付けられている（図１５および図１８参照）。
取付部２０３は、図２０に示すように、略直方体状をしており、筒状の軸受３００と、この軸受３００を保持する第一保持部材３０１および第二保持部材３０２と、を備えている。また、第一保持部材３０１と第二保持部材３０２とは、上部に軸受３００を挟み込んだ状態で互いに固定されており、軸受３００を保持している。
また、第一保持部材３０１は、ベルト挟持部３０３を備えている。また、ベルト挟持部３０３は、複数の凹凸を有する凹凸面３０４を備えている。そして、ベルト１８１は、凹凸面３０４の凹凸とベルト１８１に設けられた凹凸とが噛合した状態で、ベルト挟持部３０３に挟持されている。
また、第二保持部材３０２の下端部には後方に突出するボス３０５が左右に離間して２つ設けられている。
【００７６】
取付部２０３は、前ケース２０１のネジ挿通孔２２９に挿通されたネジ３０６がボス３０５に設けられたネジ孔にねじ込まれることで、前ケース２０１に固定されている（図１８参照）。
また、取付部２０３は、左端部が支持部２２５および対向面２３６よりも左側に突出している。より具体的には、第二保持部材３０２の左側面が最も左側に突出している。また、この第二保持部材３０２の左側面は平面状となっており、閉状態においてもう一方の可動部材１５２と当接する当接面３０７となっている。
【００７７】
可動部材１５２は、取付部２０３の軸受３００が、駆動機構１５３のシャフト１８２に外挿されることで、駆動機構１５３に取り付けられている。また、ベルト１８１がベルト挟持部３０３に挟持されることで、ベルト１８１に対して可動部材１５２が固定されている。そして、モータ１８０の回転によるベルト１８１の回転によって、取付部２０３がシャフト１８２の軸方向（左右方向）に移動するようになっており、この取付部２０３の移動に伴って可動部材１５２が左右に移動する。
【００７８】
また、ランナー部２０４のローラ２７２は、その周面が役物ベース１５１の突条部１５７およびレールカバー１６０の前記突条部に当接または近接している。これにより、可動部材１５２の下端部の前後方向への動きが規制されているとともに、取付部２０３の移動に伴って可動部材１５２が左右に移動する際に、これらの突条部上をローラ２７２が転がることで、可動部材１５２が左右に滑らかに移動するようになっている。
【００７９】
次に、左側の可動部材１５２Ａについて説明する。なお、前述のように、右側の可動部材１５２Ｂと同様の部分については、説明を省略ないし簡略化する。また、前述のように、２つの可動部材１５２Ａ，１５２Ｂは、ほぼ左右対称となっているので、前述の事項について適宜左右を読み換えるものとする。
【００８０】
可動部材１５２Ａは、覆部２４５を備えておらず、意匠部２２６前面の対向面２３６近傍部分には、後方に向けて凹んだ凹所３１０が形成されている（図２３参照）。
また、可動部材１５２Ａの対向面２３６は、ランナー部２０４の当接面２６８および取付部２０３の当接面３０７よりも右側に突出している。
【００８１】
２つの可動部材１５２Ａ，１５２Ｂの取付部２０３の前方には、後述する意匠部材４０２が配置されており（図３１参照）、レールカバー１６０の前方には上扉３０の意匠部６０が配置されている。すなわち、２つの可動部材１５２Ａ，１５２Ｂの当接面３０７，３０７および当接面２６８，２６８は、意匠部材４０２または意匠部６０に前側が覆い隠されており、遊技を行う遊技者から見えない状態となっている。
【００８２】
２つの可動部材１５２Ａ，１５２Ｂは、駆動機構１５３によって、互いに当接した閉状態と、互いに離れた開状態と、に移動される。
図２１に示すように、閉状態においては、左右の可動部材１５２Ａ，１５２ＢがスロットマシンＭ（表示面１１２）の左右方向中心部に移動し、左右の可動部材１５２Ａ，１５２Ｂが一体化して１つの形状を表す。このとき、図２２に示すように、左右の可動部材１５２Ａ，１５２Ｂは、互いのランナー部２０４,２０４の当接面２６８，２６８どうしが当接した状態になっているとともに、互いの取付部２０３，２０３の当接面３０７，３０７どうしが当接した状態となっている。また、互いの意匠部２２６，２２６の対向する対向面２３６，２３６どうしは、近接した状態となっており、当接はしていない。したがって、互いの対向する対向面２３６，２３６どうしの間には、僅かな隙間が形成されている。また、前述のように、対向面２３６は、上下方向に凹凸する凹凸面となっているが、対向する対向面２３６，２３６どうしは、それぞれに形成された凹凸部が互いに噛み合うようになっている。
【００８３】
右側可動部材１５２Ｂの覆部２４５は、閉状態においては、対向する対向面２３６，２３６どうしの間の隙間および左側可動部材１５２Ａの凹所３１０を前側から覆っている。すなわち、覆部２４５は、閉状態において、２つの可動部材１５２Ａ，１５２Ｂの間にできる隙間を前側から覆い隠す役目をしている。なお、覆部２４５と凹所３１０との間には、前後方向において隙間が設けられており、覆部２４５は、閉状態においても可動部材１５２Ｂと当接していない。すなわち、２つの可動部材１５２Ａ，１５２Ｂは、開状態はもちろん、閉状態においても互いの意匠部２２６，２２６どうしが接触しないようになっている。また、各可動部材１５２Ａ，１５２Ｂの意匠部２２６，２２６は、閉状態において、もう一方の可動部材１５２Ａ，１５２Ｂのいずれの部分とも接触しない。
【００８４】
また、閉状態においては、２つの可動部材１５２Ａ，１５２Ｂの向かい合う凹部２３５，２３５が合わさることにより、前方視において、これら向かい合う凹部２３５，２３５に囲われた円形の領域Ｒが上下に３つ並べて形成される。また、可動部材１５２Ａ，１５２Ｂの後方には、画像表示装置１００の表示面１１２があるので、これらの円形の領域Ｒを通して表示面１１２に表示される画像が視認可能な状態となる。
【００８５】
本実施の形態においては、閉状態において２つの可動部材１５２Ａ，１５２Ｂの意匠部２２６，２２６どうしが接触しないので、これらの接触により意匠部２２６，２２６の金属の蒸着膜が剥がれたり、塗装膜が剥がれたり、意匠部２２６，２２６に傷がついたりすることがない。したがって、遊技機の使用とともに可動部材の見栄えが悪くなってしまうのを防止することができる。
【００８６】
また、可動部材１５２Ａ，１５２Ｂは互いに当接する当接面２６８，２６８および当接面３０７，３０７を備えているので、これらの当接面どうしを当接させ、可動部材１５２Ａ，１５２Ｂどうしの相対的な位置決めを行うことができる。したがって、閉状態における可動部材１５２Ａ，１５２Ｂどうしの位置関係を容易に安定化させることができる。
なお、当接面は、当接面２６８，２６８または当接面３０７，３０７のいずれか一方のみを備えることとしてもよい。すなわち、当接面は可動部材１５２Ａ，１５２Ｂの上部または下部のみに設けられていてもよい。
【００８７】
また、閉状態において、２つの可動部材１５２Ａ，１５２Ｂの間にできる隙間を前側から覆い隠す覆部２４５を備えているので、閉状態において該隙間を遊技者から見えないように覆い隠すことができる。閉状態において、２つの可動部材１５２Ａ，１５２Ｂの間に隙間があると、２つの可動部材１５２Ａ，１５２Ｂの一体感が薄れてしまうおそれがある。しかし、覆部２４５があることにより、２つの可動部材１５２Ａ，１５２Ｂの間に隙間が無い場合と変わらないかもしくはそれ以上の一体感を出すことができる。
また、覆部２４５は、閉状態において互いに近接する対向面２３６，２３６の前側に設けられており、対向面２３６，２３６どうしの隙間を覆い隠すようになっている。したがって、隙間を隠すために大きい覆部２４５を備える必要がなく、部材のコストを低減させることができるとともに、隙間を隠していることを目立ちにくくすることができる。
また、対向する対向面２３６，２３６どうしは、それぞれに形成された凹凸部が互いに噛み合うようになっているので、対向面２３６，２３６どうしの隙間を上側等から見た場合に、隙間を見えづらくすることができる。
なお、覆部２４５は、左側の可動部材１５２Ａに設けられていてもよく、左右両方の可動部材１５２Ａ，１５２Ｂに設けられていてもよい。
【００８８】
また、２つの可動部材１５２Ａ，１５２Ｂの当接面３０７，３０７および当接面２６８，２６８は、意匠部材４０２または意匠部６０に前側が覆い隠されており、遊技を行う遊技者から見えない状態となっているので、当接面２６８，２６８または当接面３０７，３０７どうしがぶつかり合い、当接面２６８，３０７の塗装が剥がれたり当接面２６８，３０７に傷がついてしまったりしても、可動部材１５２Ａ，１５２Ｂの見栄えが悪くなることがない。
なお、当接面２６８，２６８および当接面３０７，３０７は、遊技者から完全に見えない状態となっていなくても視認困難な状態となっていればよい。
また、本実施の形態においては、当接面２６８および当接面３０７は、意匠部２２６よりも上方または下方に設けられているので、前側が覆い隠されていなかったとしても、遊技者から見えにくい状態となっている。また、当接面２６８を備えるランナーベース２６０は、板面を上下方向に向けて配置された平板状であるため、目立ちにくく、前側が覆い隠されていなかったとしても、遊技者から見えにくい状態となっている。
【００８９】
次に、図２３に示すように、開状態においては、左右の可動部材１５２Ａ，１５２ＢがそれぞれスロットマシンＭ（表示面１１２）の左右の端部に移動し互いに離れた状態となる。
図２４に、開状態における右側の可動部材１５２Ｂを上側から見た要部の拡大断面斜視図を示す。なお、以下では、開状態における右側の可動部材１５２Ｂおよびその周辺部材について説明するが、左側の可動部材１５２Ａおよびその周辺部材についても同様の構成となっている。
キャビネットベース８０は、前述のように突条部８２（８２ｄ）を備えているので、この突条部８２（８２ｄ）と突条部８２（８２ｄ）が設けられる部分とにより、開口部８１の右縁部には開口部８１内側に向けて突出する断面Ｌ字状の突出部が形成されている。この突出部は、画像表示装置１００の右端部を覆っており、画像表示装置１００の右端部を覆う覆部３２０を構成している（図２参照）。
【００９０】
覆部は画像表示装置１００の突条部１３１、画像表示装置１００の環状壁１２５および役物ベース１５１よりも左右方向内側に突出している。また、覆部３２０は、画像表示装置１００の表示面１１２および保護シート７０よりも前方に突出している。また、覆部３２０の前面３２０ａは、可動部材１５２Ｂの後端部よりも前方に位置している。
そして、可動部材１５２Ｂは、照明基板２００の露出域２８４となっている部分を覆部３２０の前方に滑り込ませるようにして、画像表示装置１００（スロットマシンＭ）の右端部に寄せられている。
【００９１】
このように、可動部材１５２Ｂは、その右端部に照明基板２００が後ケース２０２に覆われていない露出域２８４を備えており、この部分は可動部材１５２Ｂの厚みが薄くなっているので、覆部３２０の前方に滑り込ませるようにして移動させることができる。よって、可動部材１５２Ｂが覆部３２０にぶつかって移動できなくなるのを防ぎ、可動部材１５２Ｂを画像表示装置１００（スロットマシンＭ）の右端に十分に寄せることができる。したがって、開状態において表示面１１２が可動部材１５２Ｂに隠されてしまう部分を少なくすることができ、表示面１１２を遊技者に大きくみせることができる。また、可動部材１５２Ｂが覆部３２０にぶつかるのを防ぐために可動部材１５２Ｂを画像表示装置１００から前方に離して配置する必要もない。したがって、可動部材１５２Ｂを画像表示装置１００に近づけて配置することができ、画像表示装置１００と可動部材１５２Ｂとの一体感を高めることができる。
【００９２】
また、照明基板２００の、ＬＥＤ２１１等の電子部品および配線パターンは、露出域２８４には配置されておらず、後ケース２０２等に覆われているので、これらの電子部品等が他の部材に接触するのを防ぐことができる。また、このように、電子部品等が後ケース２０２等に覆われていることにより、スロットマシンＭの製造工程においてもこれらの電子部品等を保護することができる。また、可動部材１５２Ｂが後ケース２０２を備えることにより、ＬＥＤ２１１の光が可動部材１５２Ｂの裏側に漏れたり、表示面１１２が前ケース２０１を通して見えたりしてしまうのを防ぐこともできる。
【００９３】
また、後ケース２０２は、背面２０２ｂの右端部側が、右端部側ほど前側に向かうように、可動部材１５２Ｂの移動方向に対して傾斜しているので、右側ほど後ケース２０２（可動部材１５２Ｂ）の前後方向の厚さが薄くなっている。よって、この傾斜している部分も一部覆部３２０の前方に滑り込ませて右側に寄せることができる。したがって、照明基板２００の後ケース２０２に覆われている領域を広くして、照明基板２００を広く保護することができるとともに、可動部材１５２Ｂを画像表示装置１００の右端に寄せ、表示面１１２を遊技者に大きく見せることができる。
【００９４】
また、照明基板２００の右側の側端面２１６は、前ケース２０１にも後ケース２０２にも覆われていない。したがって、側端面２１６が役物ベース１５１に当たるところまで可動部材１５２Ｂを右側に寄せることができ、側端面２１６が前ケース２０１や後ケース２０２に覆われている場合に比べ、可動部材の可動域を広がることができる。したがって、可動部材をディスプレイの端に寄せて、遊技者にディスプレイを大きく見せることができる。
なお、実際には、本実施の形態においては、ランナーベース２６０の右側の端面２６９が照明基板２００の側端面２１６よりも右側に突出しており、側端面２１６が役物ベース１５１に当たる前にランナーベース２６０が役物ベース１５１に当たり、照明基板２００が役物ベース１５１に当たらないようになっている。
【００９５】
また、図２２等に示すように、前ケース２０１、後ケース２０２、取付部２０３およびランナー部２０４等のうち、左側の可動部材１５２Ａに用いられる部材には「Ｌ」の文字が付されており、右側の可動部材１５２Ｂに用いられる部材には「Ｒ」の文字が付されている。このように、略左右対称な形状を有する２つ以上の同種の部材について、それぞれの配置を示す識別情報としての識別文字が付されているため、どちらの可動部材１５２Ａ，１５２Ｂに使用される部材なのかすぐに判別することができ、可動部材１５２Ａ，１５２Ｂを組み立てる作業を迅速化することができる。また、可動部材１５２Ａ，１５２Ｂが組み立てられた状態において、後ケース２０２やランナー部２０５に付された「Ｌ」や「Ｒ」の文字が見えるようになっているため、各可動部材１５２Ａ，１５２Ｂを遊技機に組み付ける際等に、左右どちらに配置される可動部材なのかすぐに判別することができ、組み付け作業を迅速化することができる。
なお、識別文字は、各部材の配置を識別できるものであればよい。また、本実施の形態においては、各識別文字は、各部材の樹脂成形の際に同時に形成されるようになっているが、樹脂成形の後等に各部材に印字されたシールを付したり直接印字したりすることにより付されるものであってもよい。
【００９６】
図２５に示すように、意匠ユニット４００は、意匠ユニット本体４０１と、意匠ユニット本体４０１の上部に設けられる意匠部材４０２と、保護パネル４０３（表示窓３２）と、意匠部材４０２が遊技者に把持されるのを防止するための保護部材４０４と、４つの固定部材４０５と（図３０参照）、を備えている。
【００９７】
意匠ユニット本体４０１は、図２６に示すように、正面視略長方形状となっており、上部中央には開口部４１０が設けられている。また、この開口部４１０には保護パネル４０３が設けられている。また意匠ユニット本体４０１の下部中央には、表示窓３１を露出させるための開口部４１１が設けられている。また、これらの開口部４１０，４１１の周囲には、意匠が施されている。
また、意匠ユニット本体４０１には、開口部４１０の上側部分を囲うようにして、ネジを挿通させるためのネジ挿通孔４１２および切欠部４１３が設けられている。また、開口部４１０の左側および右側には、後方に突出するボス４１４が開口部４１０に沿って３つずつ設けられている。また、開口部４１０の下側には、後方に突出するボス４１５が開口部４１０に沿って４つ設けられている。また、隣り合うボス４１５，４１５どうしの間には、後方に突出する円筒状突出部４１６が設けられている。
【００９８】
意匠部材４０２は、図２７に示すように左右に長い略直方体状となっており、その前面、上面および下面には、意匠が施されている（図１および図２５参照）。また、意匠部材４０２の前面中央部には、ロゴ部材４２０が設けられている（図１および図２５参照）。また意匠部材４０２の左右両端部には、スピーカ４２１が設けられている。また、意匠部材４０２は、内部に照明用の照明基板を備えており、この照明基板によって、ロゴ部材４２０を含む意匠部が光るようになっている。
また、意匠部材４０２の背面４０２ｂの下端縁には、後方に突出する突条部４２６が設けられている。
【００９９】
意匠部材４０２の背面４０２ｂ下部には、ネジ孔４２２が左右に離間して３つ設けられている。また、背面４０２ｂ下部には、後方に突出する突起部４２３が左右に離間して２つ設けられている。また３つのネジ孔４２２と２つの突起部４２３とは、左右方向に略一列に並べて設けられている。また、背面４０２ｂ中央下寄りであって、ネジ孔４２２および突起部４２３よりも上側の部分には、後方に突出するボス４２４が左右に離間して４つ設けられている。また、背面４０２ｂには、後方に突出するボス４２５が、上縁、左縁および右縁に沿って複数設けられている。
そして、意匠部材４０２は、意匠ユニット本体４０１のネジ挿通孔４１２または切欠部４１３それぞれに挿通されたネジが、ボス４２５に設けられたネジ孔にねじ込まれることで、意匠ユニット本体４０１に固定されている。
【０１００】
保護パネル４０３は、図２８に示すように、断面略Ｌ字の板状部材であり、透光性を有する透明な合成樹脂により一体的に成形されている。保護パネル４０３は、略長方形板状の透過面４３０と、この透過面４３０の上縁から前方に向けて延出する、左右に長尺な板状の延出面４３１と、を備えている。
透過面４３０は、その板面を前後方向に向けた状態で画像表示装置１００および可動部材１５２Ａ，１５２Ｂの前方に配置されており、表示面１１２および可動部材１５２Ａ，１５２Ｂが遊技者に見える状態で、画像表示装置１００や可動部材１５２Ａ，１５２Ｂを保護している。
延出面４３１は、駆動機構１５３の下方に配置されている。また、延出面４３１には、シボ加工が施されている。そして、延出面４３１は、延出面４３１の上方にある部材が見えにくい状態で上方にある部材を保護している。
【０１０１】
また、延出面４３１の前縁には、延出面４３１から上方に延びるようにして、板状の第一取付部４３２が設けられている。また、透過面４３０の下縁には、透過面４３０から下方に延びるようにして、断面略Ｌ字の板状の第二取付部４３３が設けられている。
【０１０２】
第一取付部４３２には、上方から下方に向けて略半円状に切り欠いた形状の切欠部４４４が左右に離間して４つ形成されている。また、第二取付部４３３には、下方から上方に向けて略半円状に切り欠いた形状の切欠部４４５が左右に離間して２つ形成されている。また、２つの切欠部４４５，４４５を挟むようにして、下方から上方に向けて略半円状に切り欠いた形状の切欠部４４６が３つ形成されている。また、切欠部４４６の大きさは、切欠部４４５よりも大きくなっている。また、第二取付部４３３の左右両端部には、左右方向内側に向けて切り欠いた形状の切欠部４４７が形成されている。また、透過面４３０の左右両端縁それぞれには、透過面４３０内側に向けて略半円状に切り欠いた形状の切欠部４４８が、上下に離間して３つ設けられている。
【０１０３】
保護部材４０４は、図２９に示すように、左右に長尺な板状の保護部材ベース４６０と、保護部材ベース４６０の前端縁から上方に延びる左右に長尺な板状の保護部材取付部４６１と、保護部材ベース４６０の後端縁から前側下方向に延びる左右に長尺な板状の傾斜板４６２と、を備えている。また、これら保護部材ベース４６０、保護部材取付部４６１
および傾斜板４６２は、黒色の合成樹脂により一体的に成形されている。
保護部材ベース４６０は、板面を上下方向に向けた状態となっている。また、保護部材取付部４６１は、保護部材ベース４６０に対して略垂直に設けられており、板面を前後方向に向けた状態となっている。また、傾斜板４６２は、保護部材ベース４６０に対して傾斜した状態となっている。すなわち、傾斜板４６２は、水平面に対して傾斜した状態となっており、保護部材ベース４６０の後端縁から下斜め前方に向けて延びるように設けられている。また、保護部材ベース４６０と傾斜板４６２とは、それぞれの左右両端部がそれぞれ、板状部４６３，４６３によって一体的に繋がれており、保護部材ベース４６０と傾斜板４６２との間には、断面略三角形状の空間が形成されている。また、保護部材ベース４６０の前端面と、傾斜板４６２の前端面とは面一となっている。また、保護部材取付部４６１は、その背面を保護部材ベース４６０の前端面に当接させるようにして保護部材ベース４６０に一体的に設けられており、保護部材取付部４６１の前面４６１ａは、保護部材ベース４６０の前端面よりも保護部材取付部４６１の板厚分前方に突出した状態となっている。
【０１０４】
傾斜板４６２は、左右方向に凹凸した形状となっている。この凹凸形状は、意匠部材４０２の下面の凹凸形状に対応しており、保護部材４０４が意匠部材４０２に設けられた状態において、意匠部材４０２と保護部材４０４との間に隙間が生じないようにされている。
なお、より具体的には、意匠部材４０２の下面の方が保護部材４０４の下面よりも多くの凹凸を備えており、意匠部材４０２の形状と保護部材４０４の形状とは完全に対応してはいない。また、保護部材４０４には、意匠が施されていてもよく、意匠が施されていなくてもよい。
【０１０５】
保護部材取付部４６１には、ネジを挿通させるためのネジ挿通孔４６５が左右に離間して３つ設けられている。また、保護部材取付部４６１には、ネジ挿通孔４６５よりも小径の孔４６６が左右に離間して２つ設けられている。
保護部材４０４は、意匠部材４０２の突起部４２３が孔４６６に挿通された状態で、ネジ挿通孔４６５に挿通されたネジが、ネジ孔４２２にねじ込まれることで意匠部材４０２に固定されている。また、保護部材取付部４６１の前面４６１ａが意匠部材４０２の背面４０２ｂと当接するとともに、突条部４２６の後端面が傾斜板４６２の前端面と当接した状態となっている。
【０１０６】
意匠ユニット４００は、上側に配置される固定部材４０５Ａと、下側に配置される固定部材４０５Ｂと、左側に配置される固定部材４０５Ｃと、右側に配置される固定部材４０５Ｄと、の４つの固定部材４０５を備えている。
上下の固定部材４０５Ａ，４０５Ｂは、左右に長尺な板状とされており、左右の固定部材４０５Ｃ，４０５Ｄは、上下に長尺な板状とされている。また、上下の固定部材４０５Ａ，４０５Ｂには、それぞれ左右に離間して４つのネジ挿通孔４８０が設けられている。また、左右の固定部材４０５Ｃ，４０５Ｄには、それぞれ上下に離間して３つのネジ挿通孔４８１が設けられている。
【０１０７】
保護パネル４０３は、固定部材４０５により、意匠ユニット本体４０１または意匠部材４０２と互いに固定されている。
具体的には、保護パネル４０３の下端部は、切欠部４４５または切欠部４４７に意匠ユニット本体４０１のボス４１５が挿通されるとともに、切欠部４４６に円筒状突出部４１６が挿通された状態とされている。そして、下側の固定部材４０５Ｂのネジ挿通孔４８０に挿通されたネジがボス４１５に設けられたネジ孔にねじ込まれることで、間に保護パネル４０３が挟み込まれた状態で固定部材４０５Ｂが意匠ユニット本体４０１に固定されており、これにより、保護パネル４０３の下端部が意匠ユニット本体４０１に固定されている。
また、保護パネル４０３の左端部および右端部は、左右それぞれに３つずつ設けられた切欠部４４８に意匠ユニット本体４０１のボス４１４が挿通された状態とされている。そして、左右の固定部材４０５Ｃ，４０５Ｄそれぞれのネジ挿通孔４８１に挿通されたネジが、ボス４１４に設けられたネジ孔にねじ込まれることで、間に保護パネル４０３が挟み込まれた状態で固定部材４０５Ｃ，４０５Ｄが意匠ユニット本体４０１に固定されており、これにより、保護パネル４０３の左端部および右端部が意匠ユニット本体４０１に固定されている。
また、保護パネル４０３の上端部は、切欠部４４４に意匠部材４０２のボス４２４が挿通された状態とされている。そして、上側の固定部材４０５Ａのネジ挿通孔４８０に挿通されたネジがボス４２４に設けられたネジ孔にねじ込まれることで、間に保護パネル４０３が挟み込まれた状態で固定部材４０５Ａが意匠部材４０２に固定されており、これにより保護パネル４０３の上端部が意匠部材４０２に固定されている。また、保護パネル４０３の第一取付部４３２の前面は、意匠部材４０２の背面４０２ｂと当接している。
【０１０８】
図３１に示すように、意匠ユニット本体４０１と、意匠部材４０２と、保護パネル４０３とは、意匠部材４０２が、意匠ユニット本体４０１および保護パネル４０３の前方に配置された状態で互いに固定されている。また、意匠ユニット本体４０１の上面と、意匠部材４０２の上面とは、面一となっている。また、意匠部材４０２の下端部は、保護パネル４０３の延出面４３１よりも下側に突出している。つまり、意匠部材４０２の下端部は、延出面４３１の前端部から透過面４３０側に突出する突出部４９０となっている。
【０１０９】
また、保護パネル４０３の透過面４３０は、水平面に対して略垂直あるいは上側ほど前側に向かうように僅かに傾斜した状態となっている。また、延出面４３１は、前側ほど上側に向かうように、水平面に対して傾斜した状態となっている。すなわち、延出面４３１は、透過面４３０から前側（遊技者側）に向けて広がった形状となっている。
【０１１０】
また、保護部材４０４の傾斜板４６２の下端部（前端部）は、意匠部材４０２の突条部４２６と当接した状態となっているとともに、傾斜板４６２の上端部（後端部）は、保護パネル４０３の延出面４３１と当接または近接した状態となっている。そして、傾斜板４６２の外面は、突出部４９０の透過面４３０側の端部から、延出面４３１に向けて、延出面４３１側ほど後側に向かうように延出面４３１および水平面に対して傾斜した傾斜面４９１となっている。
【０１１１】
また、保護部材４０４は、保護部材取付部４６１が意匠部材４０２と保護パネル４０３とに挟まれた状態となっており、意匠部材４０２と保護パネル４０３との固定を解かないと、保護部材４０４を意匠部材４０２から取り外すことができない状態となっている。
【０１１２】
このように、本実施の形態においては、突出部４９０の透過面４３０側の端部から、延出面４３１に向けて延在し、延出面４３１側ほど後側に向かうように傾斜した傾斜面４９１を備えているので、遊技者が突出部４９０に手を掛けようとした場合に、遊技者の手はこの傾斜面４９１を滑り、上手く手が掛けることができない。したがって、遊技者に意匠部材４０２が把持されるのを防止することができる。
また、傾斜面４９１は、遊技者から見たときに、透過面４３０側に向けて広がったような形状となっているので、保護部材４０４によって遊技者の透過面４３０に向かう視線を阻害することもない。
【０１１３】
また、このように保護部材４０４により、意匠部材４０２が把持されるのを防ぐことができるので、意匠部材４０２を透過面４３０側に突出させ大きくすることができる。したがって、ロゴ部材４２０を大きくしたり、意匠部材４０２の前面に施された意匠を大きくしたり増やしたりすることができ、スロットマシンＭのデザイン性を高めることができる。
【０１１４】
また、保護パネル４０３は、延出面４３１を備えているので、延出面４３１の上方の部材等も保護パネル４０３により保護することができる。また、延出面４３１には、シボ加工が施されているので、延出面４３１の上方にある部材を見えにくい状態で保護することができる。また、シボ加工によれば、裏側にある部材を見えにくい状態で保護する延出面４３１と、見えやすい状態で保護する透過面４３０との境目を目立たなくし、保護パネル４０３全体に一体感を持たせることができる。また、シボ加工によれば、保護パネル４０３の成形と同時に加工をすることができるので、余計な工程を増やすことなく上方にある部材を見えにくくするという効果を奏することができ、製造コストを削減できる。なお、延出面４３１に塗装を施す等して、延出面４３１の裏側にある部材を見えにくくすることとしてもよい。
【０１１５】
なお、本実施の形態においては、透過面４３０の後方には、画像表示装置１００や可動部材１５２Ａ，１５２Ｂが配置されており、保護パネル４０３は、表示面１１２および可動部材１５２Ａ，１５２Ｂが遊技者に見える状態で、画像表示装置１００や可動部材１５２Ａ，１５２Ｂを保護しているが、保護パネル４０３は他の部材を保護する部材として用いられていてもよい。すなわち、例えば、保護パネル４０３は、前記回転リールの前方に配置され前記回転リールが視認可能な状態で前記回転リールを保護するものであってもよく、イラストや文字等が描かれたパネル等を保護するものであってもよい。
【符号の説明】
【０１１６】
４０２  意匠部材
４０３  保護パネル
４０４  保護部材
４３０  透過面
４３１  延出面
４９０  突出部
４９１  傾斜面
【図１】
2018175466.tif 000003
【図２】
2018175466.tif 000004
【図３】
2018175466.tif 000005
【図４】
2018175466.tif 000006
【図５】
2018175466.tif 000007
【図６】
2018175466.tif 000008
【図７】
2018175466.tif 000009
【図８】
2018175466.tif 000010
【図９】
2018175466.tif 000011
【図１０】
2018175466.tif 000012
【図１１】
2018175466.tif 000013
【図１２】
2018175466.tif 000014
【図１３】
2018175466.tif 000015
【図１４】
2018175466.tif 000016
【図１５】
2018175466.tif 000017
【図１６】
2018175466.tif 000018
【図１７】
2018175466.tif 000019
【図１８】
2018175466.tif 000020
【図１９】
2018175466.tif 000021
【図２０】
2018175466.tif 000022
【図２１】
2018175466.tif 000023
【図２２】
2018175466.tif 000024
【図２３】
2018175466.tif 000025
【図２４】
2018175466.tif 000026
【図２５】
2018175466.tif 000027
【図２６】
2018175466.tif 000028
【図２７】
2018175466.tif 000029
【図２８】
2018175466.tif 000030
【図２９】
2018175466.tif 000031
【図３０】
2018175466.tif 000032
【図３１】
2018175466.tif 000033